(57)【要約】【課題】覗き見の状況に応じて表示装置の表示を適切に制御する。【解決手段】制御装置（１）は、撮像センサ（２）が表示装置（４）の前方を撮像した撮像画像から、ユーザの顔として登録されておらず、かつ、視線が表示装置（４）を向いている顔画像を特定する覗き見判定部（１４）と、上記撮像画像に含まれる、上記顔画像の人物の画像に基づいて、該顔画像の人物の表示装置（４）に対する位置を推定する位置推定部（１５）と、推定した上記人物の表示装置（４）に対する位置に応じて、表示装置（４）の表示を上記人物から見えにくくする処理を行う表示制御部（１６）と、を備える。【選択図】図１
2019047159.tif 000002
【特許請求の範囲】
【請求項１】
撮像装置と、表示装置と、制御装置とを備える電子機器であって、
上記制御装置は、
上記撮像装置が上記表示装置の前方を撮像した撮像画像から、ユーザの顔として登録されておらず、かつ、視線が上記表示装置を向いている顔画像を特定する処理と、
上記撮像画像に含まれる、上記顔画像の人物の画像に基づいて、該顔画像の人物の上記表示装置に対する位置を推定する処理と、
推定した上記人物の上記表示装置に対する位置に応じて、上記表示装置の表示を上記人物から見えにくくする処理と、を行うことを特徴とする電子機器。
【請求項２】
上記制御装置は、
上記表示装置の表示を上記人物から見えにくくする処理を行った後、上記表示装置の前方を撮像した上記撮像画像から、上記人物の上記顔画像が特定されなくなった場合に、上記表示装置の表示を、上記人物から見えにくくする処理が行われていない通常の表示に戻す処理を行うことを特徴とする請求項１に記載の電子機器。
【請求項３】
上記表示装置の表示を上記人物から見えにくくする処理は、
上記表示装置の表示の文字サイズを縮小する処理であることを特徴とする請求項１または２に記載の電子機器。
【請求項４】
上記表示装置の表示を上記人物から見えにくくする処理は、
上記表示装置の表示の画像サイズを縮小する処理であることを特徴とする請求項１から３までの何れか１項に記載の電子機器。
【請求項５】
上記表示装置の表示を上記人物から見えにくくする処理は、
上記表示装置の輝度を低下させる処理であることを特徴とする請求項１から４までの何れか１項に記載の電子機器。
【請求項６】
上記制御装置は、
上記人物の上記表示装置に対する位置に応じて、上記表示装置の表示の、該表示装置の表示可能領域における表示位置を変更することを特徴とする請求項１から５までの何れか１項に記載の電子機器。
【請求項７】
上記制御装置は、
上記電子機器が予め登録された位置に存在している場合に、上記特定する処理を行わないことを特徴とする請求項１から６までの何れか１項に記載の電子機器。
【請求項８】
上記制御装置は、
所定のアプリケーションの実行を判定する処理を行い、
上記アプリケーションの実行が判定された場合に、上記特定する処理を開始することを特徴とする請求項１から７までの何れか１項に記載の電子機器。
【請求項９】
電子機器を制御する制御装置であって、
撮像装置が表示装置の前方を撮像した撮像画像から、ユーザの顔として登録されておらず、かつ、視線が上記表示装置を向いている顔画像を特定する覗き見判定部と、
上記撮像画像に含まれる、上記顔画像の人物の画像に基づいて、該顔画像の人物の上記表示装置に対する位置を推定する位置推定部と、
推定した上記人物の上記表示装置に対する位置に応じて、上記表示装置の表示を上記人物から見えにくくする処理を行う表示制御部と、を備えることを特徴とする制御装置。
【請求項１０】
電子機器を制御する制御装置の制御方法であって、
撮像装置が表示装置の前方を撮像した撮像画像から、ユーザの顔として登録されておらず、かつ、視線が上記表示装置を向いている顔画像を特定する覗き見判定処理と、
上記撮像画像に含まれる、上記顔画像の人物の画像に基づいて、該顔画像の人物の上記表示装置に対する位置を推定する位置推定処理と、
推定した上記人物の上記表示装置に対する位置に応じて、上記表示装置の表示を上記人物から見えにくくする処理を行う表示制御処理と、を含むことを特徴とする制御方法。
【請求項１１】
請求項９に記載の制御装置としてコンピュータを機能させるための制御プログラムであって、上記覗き見判定部、上記位置推定部および上記表示制御部としてコンピュータを機能させるための制御プログラム。
【発明の詳細な説明】
【技術分野】
【０００１】
本発明は、電子機器、制御装置、制御装置の制御方法および制御プログラムに関する。
【背景技術】
【０００２】
スマートフォンが一般に普及し、かつ表示画面が大型化する中で、公衆の場で使用する場合に備え、周囲からの覗き見を防止する技術のニーズが高まっている。覗き見を防止する技術として広く普及しているのが、ベールビューと呼ばれる技術、および表示画面の表面に保護フィルムを貼付する方法である。
【０００３】
ベールビューは、ディスプレイ上に幾何学的な半透明の模様を表示させるなどし、左右（斜め）方向からディスプレイを見た場合に、本来表示されている情報を見えにくくするものである。
【０００４】
一方、保護フィルムの貼付も原理的にはベールビューと類似しており、表示画面の表面に半透明の保護フィルムを貼付することで、左右（斜め）方向からは情報が見えにくい状態にするものである。
【０００５】
しかしながら、これらの方法には、後方から（ほぼ真後ろから）の覗き見にはあまり効果がないという欠点があった。また、上記の方法は、半透明の模様の表示や保護フィルムの貼付により、何も表示していない状態や何も貼付していない状態に比べて、ユーザ自身にとっても（周囲に誰もいないときも含めて）煩わしい表示となるという欠点があった。
【０００６】
上記のような端末を常に覗き見防止状態にするという方法とは異なる技術として、特許文献１に開示された技術がある。この技術は、端末に内蔵されているインカメラ（ディスプレイの正面側に備えられるカメラ）を用いて、周囲にユーザ以外の人物が映り込んでいないかを判定し、映り込んでいる場合には、表示フィルタをかける、あるいは画面のコントラストを調整することにより、該当の人物から画面の表示内容を見えにくくするものである。
【先行技術文献】
【特許文献】
【０００７】
【特許文献１】特開２０１１−２１７１４６号公報（２０１１年１０月２７日公開）
【発明の概要】
【発明が解決しようとする課題】
【０００８】
しかしながら、上記従来技術では、覗き見されている状態では表示装置の表示は一律に同じ表示となってしまうという問題点がある。より具体的には、上記従来技術では、後方から（ほぼ真後ろから）覗き見されているのか、あるいは左右（斜め）から覗き見されているのかなどの覗き見の状況に応じて表示装置の表示を適切に制御することができないという問題点がある。
【０００９】
本発明の一態様は、上記の問題点に鑑みて為されたものであり、その目的は、覗き見の状況に応じて表示装置の表示を適切に制御することができる電子機器などを実現することにある。
【課題を解決するための手段】
【００１０】
上記の課題を解決するために、本発明の一態様に係る電子機器は、撮像装置と、表示装置と、制御装置とを備える電子機器であって、上記制御装置は、上記撮像装置が上記表示装置の前方を撮像した撮像画像から、ユーザの顔として登録されておらず、かつ、視線が上記表示装置を向いている顔画像を特定する処理と、上記撮像画像に含まれる、上記顔画像の人物の画像に基づいて、該顔画像の人物の上記表示装置に対する位置を推定する処理と、推定した上記人物の上記表示装置に対する位置に応じて、上記表示装置の表示を上記人物から見えにくくする処理と、を行う。
【００１１】
上記課題を解決するために、本発明の一態様に係る制御装置は、電子機器を制御する制御装置であって、撮像装置が表示装置の前方を撮像した撮像画像から、ユーザの顔として登録されておらず、かつ、視線が上記表示装置を向いている顔画像を特定する覗き見判定部と、上記撮像画像に含まれる、上記顔画像の人物の画像に基づいて、該顔画像の人物の上記表示装置に対する位置を推定する位置推定部と、推定した上記人物の上記表示装置に対する位置に応じて、上記表示装置の表示を上記人物から見えにくくする処理を行う表示制御部と、を備える。
【００１２】
上記課題を解決するために、本発明の一態様に係る制御装置の制御方法は、電子機器を制御する制御装置の制御方法であって、撮像装置が表示装置の前方を撮像した撮像画像から、ユーザの顔として登録されておらず、かつ、視線が上記表示装置を向いている顔画像を特定する覗き見判定処理と、上記撮像画像に含まれる、上記顔画像の人物の画像に基づいて、該顔画像の人物の上記表示装置に対する位置を推定する位置推定処理と、推定した上記人物の上記表示装置に対する位置に応じて、上記表示装置の表示を上記人物から見えにくくする処理を行う表示制御処理と、を含む。
【発明の効果】
【００１３】
本発明の一態様に係る電子機器、制御装置および制御方法よれば、覗き見の状況に応じて表示装置の表示を適切に制御することができるという効果を奏する。
【図面の簡単な説明】
【００１４】
【図１】（ａ）は、本発明の実施形態１に係るスマートフォンの構成を示すブロック図であり、（ｂ）は、上記スマートフォンの表示装置が設けられている側の外観を示す正面図である。
【図２】上記スマートフォンの動作の一例を示すフローチャートである。
【図３】（ａ）および（ｂ）は、覗き見防止方法の一例を説明するための図であり、（ｃ）および（ｄ）は、覗き見防止方法の他の一例を説明するための図である。
【図４】（ａ）および（ｂ）は、覗き見防止方法のさらに他の一例を説明するための図であり、（ｃ）および（ｄ）は、覗き見防止方法のさらに他の一例を説明するための図である。
【図５】（ａ）〜（ｃ）は、覗き見防止方法のさらに他の一例を説明するための図である。
【図６】覗き見防止方法のバリエーションを示す図である。
【図７】本発明の実施形態２に係るスマートフォンの構成を示すブロック図である。
【図８】上記スマートフォンの動作の一例を示すフローチャートである。
【発明を実施するための形態】
【００１５】
本発明の実施の形態について図１〜図８に基づいて説明すれば、次の通りである。以下、説明の便宜上、ある項目にて説明した構成と同一の機能を有する構成については、他の項目においても同一の符号を付記し、その説明を省略する場合がある。
【００１６】
〔実施形態１〕
図１の（ａ）は、本発明の実施形態１に係るスマートフォン（電子機器）１０の構成を示すブロック図である。また、図１の（ｂ）は、スマートフォン１０の表示装置４が設けられている側の外観を示す正面図である。図１の（ａ）に示すように、スマートフォン１０は、制御装置１、撮像センサ（撮像装置）２、記憶装置３および表示装置４を備える。
【００１７】
制御装置１は、スマートフォン１０の各部を統括的に制御するものであり、アプリケーション実行部１１、アプリケーション判定部１２、センサ制御部１３、覗き見判定部１４、位置推定部１５、表示制御部１６、および表示画像生成部１７を備える。なお、制御装置１に含まれる各制御ブロックの詳細については後述する。
【００１８】
撮像センサ２は、例えば、インカメラ（スマートフォン１０の表示装置４が設けられている側の面に備えられるカメラ）などのカメラモジュールで構成することができる。カメラモジュールは、撮影レンズが組み込まれたレンズユニットと、ＣＣＤ（電荷転送素子）やＣＭＯＳ（相補形金属酸化膜半導体）等の撮像素子が組み込まれた撮像センサとを一体化したものであり、小型電子機器の小さな筐体内に組み込めるように小型化されている。
【００１９】
本実施形態においては、撮像センサ２は、スマートフォン１０の表示装置４の表示画面に対向する側（表示画面の前方）を撮影できるように配置されている。より具体的には、図１の（ｂ）に示すように、撮像センサ２は、スマートフォン１０の表示装置４が設けられている面の長手方向の上端に配置されている。
【００２０】
なお、撮像センサ２の配置位置は、上記の例に限定されず、表示装置４が設けられている面の長手方向の下端や、短手方向の両端の何れか少なくとも一方に配置しても良い。撮像センサ２は、表示装置４の表示画面に対向する側（表示画面の前方）を撮影し、撮像画像を覗き見判定部１４に渡す。なお、人感センサなどをスマートフォン１０に設け、撮像センサ２と組み合わせることで人物検出の精度を上げても良い。
【００２１】
記憶装置３には、スマートフォン１０の機能を実現するために必要な情報が予め記録されるか、またはスマートフォン１０における情報処理により生成される情報が随時記録される。特に、本実施形態の記憶装置３では、スマートフォン１０に対応付けて登録されるユーザの顔認証用情報が予め記憶される。
【００２２】
表示装置４には、例えば、液晶パネルが使用される。但し、表示装置４に使用される表示パネルは、液晶パネルに限定されるものではなく、有機ＥＬ（エレクトロルミネッセンス）パネル、無機ＥＬパネル、またはプラズマパネル等であってもよい。
【００２３】
次に、制御装置１に含まれる各制御ブロックの詳細について説明する。アプリケーション実行部１１は、ユーザの操作によりメールアプリ、ＳＮＳ（ソーシャル・ネットワーク・サービス）アプリ、Ｗｅｂブラウザアプリ、またはＴＶアプリなどの各種アプリケーションを実行させる処理を行う。なお、スマートフォン１０は、ユーザが上記アプリケーションの選択を行える機能を有していても良い。
【００２４】
アプリケーション判定部１２は、覗き見防止が必要となる所定のアプリケーション（例えば、メールアプリやＷｅｂブラウザアプリなど）がスマートフォン１０上で実行されているかを判定する。上記アプリケーションがスマートフォン１０上で実行されている場合は、その旨をセンサ制御部１３、覗き見判定部１４および表示制御部１６に通知する。
【００２５】
センサ制御部１３は、撮像センサ２の動作を制御する。センサ制御部１３は、アプリケーション判定部１２から上記アプリケーションがスマートフォン１０上で実行されている旨の通知を受けると、撮像センサ２に撮影動作を開始させる。一方、センサ制御部１３は、アプリケーション判定部１２から上記アプリケーションがスマートフォン１０上で実行されていない旨の通知を受けると、撮像センサ２に撮影動作を停止させる。
【００２６】
なお、覗き見防止が必要となる所定のアプリケーションは、予め記憶装置３に記憶しておくなど固定的に決めておいてもよいし、スマートフォン１０が、ユーザが設定できる機能を有していてもよい。また、スマートフォン１０がアプリケーションの扱う情報から自動的に決めるようにしてもよい（例えば、電話帳やメール、カメラアプリにより撮影した画像を扱うアプリケーションは覗き見防止が必要となるアプリケーションと決める等）。
【００２７】
覗き見判定部１４は、表示装置４の前方を撮像した撮像画像から、ユーザの顔として登録されておらず、かつ、視線が表示装置４を向いている顔画像を特定する覗き見判定処理を行う。例えば、覗き見判定部１４は、撮像センサ２から受け取った撮像画像の中に、複数の人物（顔画像）が映り込んでいる場合、記憶装置３からユーザの顔認証用情報を取得し、ユーザ登録されていない顔画像（ユーザ以外の他者の顔画像）が存在するかを判定する。また、覗き見判定部１４は、ユーザ登録されていない顔画像が存在する場合にはその視線が表示装置４を向いているかによって、覗き見を判定する。
【００２８】
位置推定部１５は、上記撮像画像に含まれる、上記顔画像の人物の画像に基づいて、該顔画像の人物の表示装置４に対する位置を推定する処理を行う。より具体的には、撮像画像中の人物画像の大きさや位置などから、スマートフォン１０に対してその人物が実空間上でどのあたりに位置しているかを推定する。
【００２９】
例えば、撮像画像の中のユーザ以外の他者の顔画像の大きさが一定の閾値以上なら、他者はスマートフォン１０から近くにおり、閾値より小さければ、他者はスマートフォン１０から遠くにいると推定する。また、例えば、ユーザ以外の他者の顔画像の中心の撮像画像中の水平方向（横方向）の位置に基づいて、他者はスマートフォン１０やユーザの左側、右側、または真ん中辺りの、どの方向にいるかを推定する。
【００３０】
位置推定部１５は、覗き見が判定された人物の表示装置４に対する位置を推定して、表示制御部１６に通知する。
【００３１】
表示制御部１６は、推定した上記人物の表示装置４に対する位置に応じて、表示装置４の表示を上記人物から見えにくくする処理を行う。すなわち、表示制御部１６は、アプリケーション判定部１２および覗き見判定部１４からの通知をもとに、覗き見防止表示の実施要否の判定と有効な覗き見防止方法の選択を行う（後述する複数の覗き見防止方法の中から少なくとも１つの覗き見防止方法を選択する）。なお、スマートフォン１０は、事前にユーザが「このような場合には〜の方法を用いる」といった設定を行える機能を有していても良い。
【００３２】
また、表示制御部１６は、必要に応じて表示画像生成部１７に対して、覗き見を防止するための画像の生成を要求する。表示制御部１６は、上記の結果を元に、表示すべき内容を表示装置４に通知する。
【００３３】
表示制御部１６は、表示装置４の表示を上記人物から見えにくくする処理を行った後、表示装置４の前方を撮像した撮像画像から、上記人物の顔画像が特定されなくなった場合に、表示装置４の表示を、上記人物から見えにくくする処理が行われていない通常の表示に戻す処理を行う。これにより、覗き見されていないときは通常に表示され、覗き見されているときのみ上記人物から見えにくくされた表示に変わることから、表示に対する煩わしさが軽減される。また、ユーザは、覗き見されているという状況を表示内容の変化により認識することができ、かつその状況でもスマートフォン１０をそのまま使い続けることができる。
【００３４】
表示画像生成部１７は、表示制御部１６からの要求を受け、表示中の画像に対して加工を行い、覗き見防止用の画像を生成する（表示装置４の表示を、覗き見を行っている人物から見えにくくする処理を行う）。
【００３５】
表示装置４の表示を上記人物から見えにくくする処理は、表示装置４の表示の文字サイズを縮小する処理であっても良い。これにより、表示されている文字を、覗き見を行っている人物から見えにくくすることができる。
【００３６】
また、表示装置４の表示を上記人物から見えにくくする処理は、表示装置４の表示の画像サイズを縮小する処理であっても良い。これにより、表示されている画像を、覗き見を行っている人物から見えにくくすることができる。
【００３７】
表示装置４の表示を上記人物から見えにくくする処理は、表示装置４の輝度を低下させる処理であっても良い。これにより、表示されている情報を、覗き見を行っている人物から見えにくくすることができる。
【００３８】
また、表示装置４の表示を上記人物から見えにくくする処理は、上記人物の表示装置４に対する位置に応じて、表示装置４の表示の、表示装置４の表示可能領域における表示位置を変更する処理であっても良い。これにより、表示されている情報を上記人物から見えにくくすることができる。以上で説明したスマートフォン１０の構成によれば、覗き見の状況に応じて表示装置４の表示を適切に制御することができる。本発明の実施の一形態は、特別な付加機材を用いることなく、一般的なスマートフォン単体で実現することができる。
【００３９】
（スマートフォンの動作）
次に、図２に基づき、スマートフォン１０の動作について説明する。図２は、スマートフォン１０の動作の一例を示すフローチャートである。まず、ステップＳ（以下、「ステップ」は省略する）１０１では、アプリケーション判定部１２が、特定のアプリケーションを使用しているか否かを判定する。なお、上記特定のアプリケーションとは、上述した覗き見防止が必要となる所定のアプリケーションのことである。上記判定の結果、特定のアプリケーションを使用している場合は、その旨をセンサ制御部１３、覗き見判定部１４および表示制御部１６に通知してＳ１０２に進む。一方、特定のアプリケーションを使用していない場合は、元に戻る。
【００４０】
次に、Ｓ１０２では、センサ制御部１３が撮像センサ２を起動し、画像を撮影し、撮影した撮像画像を覗き見判定部１４に通知してＳ１０３に進む。Ｓ１０３では、覗き見判定部１４が、上記撮像画像中にユーザを含む複数の人物が映り込んでいる否かを判定し、複数の人物が映り込んでいる場合は、Ｓ１０４に進む。一方、上記撮像画像中に複数の人物が映り込んでいない場合は、Ｓ１１０に進む。
【００４１】
Ｓ１０４では、覗き見判定部１４が、複数の顔画像の中にユーザ登録されていない顔画像が存在するか否かを判定し、ユーザ登録されていない顔画像が存在する場合は、Ｓ１０５に進む。一方、ユーザ登録されていない顔画像が存在していない場合は、Ｓ１１０に進む。
【００４２】
Ｓ１０５では、覗き見判定部１４が、ユーザ登録されていない顔画像の視線が表示装置４（表示部）を向いているか否かを判定し、視線が表示装置４を向いている場合、Ｓ１０６に進む。なお、ユーザ登録されていない顔画像の視線が表示装置４を向いている場合、「覗き見されている」（その可能性も含む）と判定される。一方、視線が表示装置４を向いていない場合、Ｓ１１０に進む。
【００４３】
Ｓ１０６では、位置推定部１５が、ユーザ登録されていない顔画像の人物の覗き見位置（表示装置４に対する位置）を推定して、Ｓ１０７に進む。Ｓ１０７では、表示制御部１６が、後述する複数の覗き見防止方法の中から少なくとも１つの覗き見防止方法を選択してＳ１０８に進む。
【００４４】
Ｓ１０８では、表示画像生成部１７が、覗き見防止表示画面を生成して、Ｓ１０９に進む。Ｓ１０９では、表示制御部１６が、表示装置４の画面表示内容を変更（覗き見防止表示オン）してＳ１０３に戻る。
【００４５】
Ｓ１１０では、表示制御部１６が、表示装置４の画面表示内容を変更（覗き見防止表示オフ）して、Ｓ１１１に進む。Ｓ１１１では、アプリケーション判定部１２が、特定のアプリケーションを使用しているか否かを判定し、特定のアプリケーションを使用している場合は、Ｓ１０３に戻る。一方、Ｓ１１１で特定のアプリケーションを使用していない場合は、Ｓ１１２に進む。Ｓ１１２では、センサ制御部１３が撮像センサ２の動作を終了させてＥＮＤとなる。
【００４６】
（覗き見防止方法の例）
次に、図３〜図６に基づき、覗き見防止方法（表示装置４の表示を、覗き見を行っている人物から見えにくくする処理）の例について説明する。図３の（ａ）および（ｂ）に示すように、覗き見を検出した場合に、表示装置４の表示を、覗き見を行っている人物から見えにくくする処理は、表示装置４の表示の文字サイズを縮小する処理であっても良い。これにより、表示されている文字を、覗き見を行っている人物から見えにくくすることができる。
【００４７】
図３の（ｃ）および（ｄ）に示すように、覗き見を検出した場合に、表示装置４の表示を、覗き見を行っている人物から見えにくくする処理は、表示装置４の表示の画像サイズを縮小する処理であっても良い。これにより、表示されている画像を、覗き見を行っている人物から見えにくくすることができる。例えば、後方から覗かれている場合には、文字サイズまたは画像サイズを縮小し、遠距離からはほぼ画面の内容が認識できない状態にする。なお、上記の図３の（ｂ）の処理と図３の（ｄ）の処理とを同時に行い、覗き見防止効果を高めても良い。
【００４８】
次に、図４の（ａ）および（ｂ）に示すように、覗き見を検出した場合に、表示装置４の表示を、覗き見を行っている人物から見えにくくする処理は、表示装置４の輝度を低下させる処理であっても良い。これにより、表示されている情報を、覗き見を行っている人物から見えにくくすることができる。表示装置４全体の輝度を下げ、少し離れた位置からは画面の内容がほぼ認識できないようにする。なお、照度センサとの組み合わせにより、周囲の照度から計算される反射の影響などを考慮できるようにしても良い。
【００４９】
また、図４の（ｃ）および（ｄ）に示すように、覗き見を検出した場合に、覗き見を行っている人物の表示装置４に対する位置に応じて、表示装置４の表示の、表示装置４の表示可能領域における表示位置を変更しても良い。これにより、表示されている情報を、覗き見を行っている人物から見えにくくすることができる。
【００５０】
次に、図５の（ａ）および（ｂ）に示すように、左方向から覗かれている場合は、表示可能領域の右側に表示位置を変更しても良い。また、図５の（ａ）および（ｃ）に示すように、右方向から覗かれている場合は、表示可能領域の左側に表示位置を変更しても良い。このように、画像を覗いている人物から表示可能領域の逆方向に表示位置を変更し、離れている位置から情報を見えにくくする。表示装置４に表示された情報の画面上の表示位置を、他者が覗き込んでいる方向と反対側に配置することで他者から見難い表示画面での利用が可能となる。さらに付加的な作用として、ユーザは表示装置４における表示内容の変化から、覗き見されている方向を逆算的に知ることができ、その方向に注意を払えることで、防犯上の効果も期待される。
【００５１】
次に、図６は、覗き見防止方法のバリエーションを示す図である。選択例１では、撮像画像より、位置推定部１５が「ユーザ左後方近くからの覗き見」と判定し、表示制御部１６へ通知する。表示制御部１６は、アプリケーション判定部１２からの情報により、対象アプリケーションであるメールを利用中であり、近くからの覗き見であることから、文字サイズ変更、画面輝度変更、および表示位置変更を組合せた覗き見防止方法を選択する。
【００５２】
選択例２では、撮像画像より、位置推定部１５が「ユーザ右後方近くからの覗き見」と判定し、表示制御部１６へ通知する。表示制御部１６は、アプリケーション判定部１２からの情報により、対象アプリケーションであるＷｅｂブラウザを利用中であり、近くからの覗き見であることから、文字サイズ変更、画像サイズ変更、画面輝度変更、および表示位置変更を組合せた覗き見防止方法を選択する。
【００５３】
選択例３では、撮像画像より、位置推定部１５が「ユーザ右後方遠くからの覗き見」と判定し、表示制御部１６へ通知する。表示制御部１６は、アプリケーション判定部１２からの情報により、対象アプリケーションであるＷｅｂブラウザを利用中であるが、遠くからの覗き見であることから、画面輝度変更のみでの覗き見防止方法を選択する。
【００５４】
選択例４では、撮像画像より、位置推定部１５が「ユーザ左後方近くからの覗き見」と判定し、表示制御部１６へ通知する。しかしながら、表示制御部１６は、アプリケーション判定部１２からの情報により、覗き見防止機能の対象外アプリケーションを利用中であることから、いずれの覗き見防止方法も選択しない。
【００５５】
〔実施形態２〕
図７は、本発明の実施形態２に係るスマートフォン（電子機器）１０ａの構成を示すブロック図である。本実施形態は、ＧＰＳ機能などを用いてスマートフォン１０の現在位置を判定し、特定の場所（たとえば自宅または会社）にいる場合は、覗き見防止機能を無効にする形態である。
【００５６】
本実施形態のスマートフォン１０ａは、現在位置判定部１８を備える点で、スマートフォン１０の構成と異なっているが、その他の構成はスマートフォン１０と同様である。例えば、現在位置判定部１８によりスマートフォン１０が予め登録された位置に存在していると判定された場合、上述した覗き見判定の処理を行わなくても良い。これにより、明らかに不要な場面では、覗き見を判定する処理以降の処理を行わず、より快適にスマートフォン１０を使用することができる。
【００５７】
（スマートフォンの動作）
次に、図８に基づき、スマートフォン１０ａの動作について説明する。図８は、スマートフォン１０ａの動作の一例を示すフローチャートである。図８に示すフローチャートは、図２に示すフローチャートにおけるＳ１０１の前に、Ｓ２０１が設けられている点が図２に示すフローチャートと異なっている。
【００５８】
すなわち、Ｓ２０１では、現在位置判定部１８が、スマートフォン１０ａが現在特定の場所（予め登録された場所）に存在しているか否かを判定し、特定の場所に存在している場合には、元に戻る。一方、スマートフォン１０ａが特定の場所に存在していない場合には、Ｓ１０１に進む。なお、Ｓ１０１以降の動作は、上述した図２に示すフローチャートの場合と同様であるので説明は省略する。
【００５９】
〔ソフトウェアによる実現例〕
スマートフォン１０の制御ブロック（特にアプリケーション判定部１２、センサ制御部１３、覗き見判定部１４、位置推定部１５、表示制御部１６、表示画像生成部１７および現在位置判定部１８）は、集積回路（ＩＣチップ）等に形成された論理回路（ハードウェア）によって実現してもよいし、ソフトウェアによって実現してもよい。
【００６０】
後者の場合、スマートフォン１０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６１】
〔まとめ〕
本発明の態様１に係る電子機器は、撮像装置と、表示装置と、制御装置とを備える電子機器であって、上記制御装置は、上記撮像装置が上記表示装置の前方を撮像した撮像画像から、ユーザの顔として登録されておらず、かつ、視線が上記表示装置を向いている顔画像を特定する処理と、上記撮像画像に含まれる、上記顔画像の人物の画像に基づいて、該顔画像の人物の上記表示装置に対する位置を推定する処理と、推定した上記人物の上記表示装置に対する位置に応じて、上記表示装置の表示を上記人物から見えにくくする処理と、を行う構成である。
【００６２】
上記構成によれば、撮像装置が表示装置の前方を撮像した撮像画像から、ユーザの顔として登録されておらず、かつ、視線が上記表示装置を向いている顔画像を特定し、上記撮像画像に含まれる、上記顔画像の人物の画像に基づいて、該顔画像の人物の上記表示装置に対する位置を推定し、推定した上記人物の上記表示装置に対する位置に応じて、上記表示装置の表示を上記人物から見えにくくする処理を行う。このため、覗き見の状況に応じて表示装置の表示を適切に制御することができる。
【００６３】
本発明の態様２に係る電子機器は、上記態様１において、上記制御装置が、上記表示装置の表示を上記人物から見えにくくする処理を行った後、上記表示装置の前方を撮像した上記撮像画像から、上記人物の上記顔画像が特定されなくなった場合に、上記表示装置の表示を、上記人物から見えにくくする処理が行われていない通常の表示に戻す処理を行っても良い。上記構成によれば、覗き見されていないときは通常に表示され、覗き見されているときのみ上記人物から見えにくくされた表示に変わることから、表示に対する煩わしさが軽減される。また、ユーザは、覗き見されているという状況を表示内容の変化により認識することができ、かつその状況でも電子機器をそのまま使い続けることができる。
【００６４】
本発明の態様３に係る電子機器は、上記態様１または２において、上記表示装置の表示を上記人物から見えにくくする処理は、上記表示装置の表示の文字サイズを縮小する処理であっても良い。上記構成によれば、表示されている文字を上記人物から見えにくくすることができる。
【００６５】
本発明の態様４に係る電子機器は、上記態様１〜３の何れかにおいて、上記表示装置の表示を上記人物から見えにくくする処理は、上記表示装置の表示の画像サイズを縮小する処理であっても良い。上記構成によれば、表示されている画像を上記人物から見えにくくすることができる。
【００６６】
本発明の態様５に係る電子機器は、上記態様１〜４の何れかにおいて、上記表示装置の表示を上記人物から見えにくくする処理は、上記表示装置の輝度を低下させる処理であっても良い。上記構成によれば、表示されている情報を上記人物から見えにくくすることができる。
【００６７】
本発明の態様６に係る電子機器は、上記態様１〜５の何れかにおいて、上記制御装置が、上記人物の上記表示装置に対する位置に応じて、上記表示装置の表示の、該表示装置の表示可能領域における表示位置を変更しても良い。上記構成によれば、表示されている情報を上記人物から見えにくくすることができる。
【００６８】
本発明の態様７に係る電子機器は、上記態様１〜６の何れかにおいて、上記制御装置が、上記電子機器が予め登録された位置に存在している場合に、上記特定する処理を行わなくても良い。上記構成によれば、明らかに不要な場面では、覗き見を判定する処理以降の処理を行わず、より快適に電子機器を使用することができる。
【００６９】
本発明の態様８に係る電子機器は、上記態様１〜７の何れかにおいて、上記制御装置が、所定のアプリケーションの実行を判定する処理を行い、上記アプリケーションの実行が判定された場合に、上記特定する処理を開始しても良い。上記構成によれば、覗き見の防止が不要な場合まで覗き見を判定する処理を行うという無駄な動作を行わないで済むため、無駄な電力の消費を抑制できる。
【００７０】
本発明の態様９に係る制御装置は、電子機器を制御する制御装置であって、撮像装置が表示装置の前方を撮像した撮像画像から、ユーザの顔として登録されておらず、かつ、視線が上記表示装置を向いている顔画像を特定する覗き見判定部と、上記撮像画像に含まれる、上記顔画像の人物の画像に基づいて、該顔画像の人物の上記表示装置に対する位置を推定する位置推定部と、推定した上記人物の上記表示装置に対する位置に応じて、上記表示装置の表示を上記人物から見えにくくする処理を行う表示制御部と、を備える構成である。上記構成によれば、上記態様１と同様の効果が得られる。
【００７１】
本発明の態様１０に係る制御装置の制御方法は、電子機器を制御する制御装置の制御方法であって、撮像装置が表示装置の前方を撮像した撮像画像から、ユーザの顔として登録されておらず、かつ、視線が上記表示装置を向いている顔画像を特定する覗き見判定処理と、上記撮像画像に含まれる、上記顔画像の人物の画像に基づいて、該顔画像の人物の上記表示装置に対する位置を推定する位置推定処理と、推定した上記人物の上記表示装置に対する位置に応じて、上記表示装置の表示を上記人物から見えにくくする処理を行う表示制御処理と、を含む方法である。上記方法によれば、上記態様１と同様の効果が得られる。
【００７２】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【００７３】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７４】
１    制御装置
２    撮像センサ（撮像装置）
３    記憶装置
４    表示装置
１０    スマートフォン（電子機器）
１０ａ  スマートフォン（電子機器）
１１    アプリケーション実行部
１２    アプリケーション判定部
１３    センサ制御部
１４    覗き見判定部
１５    位置推定部
１６    表示制御部
１７    表示画像生成部
１８    現在位置判定部
【図１】
2019047159.tif 000003
【図２】
2019047159.tif 000004
【図３】
2019047159.tif 000005
【図４】
2019047159.tif 000006
【図５】
2019047159.tif 000007
【図６】
2019047159.tif 000008
【図７】
2019047159.tif 000009
【図８】
2019047159.tif 000010